(57)【要約】画像表示装置（１）は陰極線管（２）を有し、この陰極線管（２）の表示スクリーン（４）には、電子ビーム（５）により走査される平行な画像ライン（１０）と、各画像ライン（１０）の両側に沿って延在する第１及び第２の蛍光インデックス素子（１１、１２）の対とが設けられている。画像表示装置（１）は更に、電子ビーム（５）による前記インデックス素子の照射量を表わすインデックス信号を発生する一対の光検出器（３１、３２）をも有する。これらインデックス信号の差に基づき、スクリーン上の電子ビーム（５）の形状及び位置の双方又はいずれか一方を補正するエラー信号を形成する。一方の光検出器のインデックス信号は、第１及び第２の双方のインデックス素子（１１、１２）の照射量を表わし、これにより当該一方の光検出器の検出効率及びそのインデックス信号の信号対雑音比を改善する。その結果、エラー信号が良好になり、従って、画質が良好になる。
2005507514.tif 000002
【特許請求の範囲】
【請求項１】
動作中電子ビームにより走査される少なくとも１本の画像ラインと、この少なくとも１本の画像ラインの一方の側に沿って配置され第１の色を有する第１のインデックス素子と、前記少なくとも１本の画像ラインの他方の側に配置され前記第１の色とは異なる第２の色を有する第２のインデックス素子とを具えている表示スクリーンを有する陰極線管と、
電子ビームにより前記インデックス素子を照射した際に、これらインデックス素子が放出する光を検出する第１及び第２の光検出器と
を具える画像表示装置において、この画像表示装置は、
動作中、第１の光検出器が、実質的に電子ビームによる第１のインデックス素子の照射量を表わす第１のインデックス信号を発生し、
動作中、第２の光検出器が、実質的に前記第１のインデックス素子の照射量と電子ビームによる第２のインデックス素子の照射量との合計を表わす第２のインデックス信号を発生するようになっており、
画像表示装置は更に、
前記第２のインデックス信号と前記第１のインデックス信号との差を表わすエラー信号を発生する手段と、
電子ビームの形状と、前記少なくとも１本の画像ラインに対し垂直なフレーム方向における電子ビームの位置との双方又はいずれか一方を、前記エラー信号の関数として補正する手段と
を具えることを特徴とする画像表示装置。
【請求項２】
請求項１に記載の画像表示装置において、前記第１の光検出器が、前記第１の色及び前記第２の色の双方に感応する第１の光感応素子を有し、この第１の光感応素子には、第１の色を選択的に濾波する光フィルタが設けられており、前記第２の光検出器が、前記第１の色及び前記第２の色の双方に感応するが第１の色又は第２の色を濾波する光フィルタが設けられていない第２の光感応素子を有していることを特徴とする画像表示装置。
【請求項３】
請求項２に記載の画像表示装置において、第１の色の主周波数が第２の色の主周波数よりも低く、前記第１の光感応素子に設けられた前記光フィルタは、実質的に第１の色の周波数スペクトルを濾波する透過特性を有していることを特徴とする画像表示装置。
【請求項４】
請求項３に記載の画像表示装置において、前記第１の色が主として緑色であり、前記第２の色が主として青色であり、前記第１の光感応素子に設けられた前記光フィルタは、主として黄色のフィルタであることを特徴とする画像表示装置。
【請求項５】
請求項４に記載の画像表示装置において、前記第１の光感応素子は実質的に前記第２の光感応素子と同じであることを特徴とする画像表示装置。
【請求項６】
請求項１に記載の画像表示装置において、前記第１の光検出器は前記第１の色に感応するが前記第２の色に感応しない第１の光感応素子を有し、前記第２の光検出器は前記第１の色及び前記第２の色の双方に感応する第２の光感応素子を有することを特徴とする画像表示装置。
【請求項７】
請求項５又は６に記載の画像表示装置において、前記エラー信号は、前記第２インデックス信号Ｓ2 と前記第１インデックス信号Ｓ1 との重み付された差を表わす式
Ｓe ＝ｆ（ｋ2 ・Ｓ2 −ｋ1 ・Ｓ1 ）
であることを特徴とする画像表示装置。
【請求項８】
請求項７に記載の画像表示装置において、前記エラー信号Ｓe は、第２インデックス信号Ｓ2 と第１インデックス信号Ｓ1 との重み付された和に対する、第２インデックス信号Ｓ2 と第１インデックス信号Ｓ1 との重み付された差の比を表わす式
Ｓe ＝ｆ（（ｋ2 ・Ｓ2 −ｋ1 ・Ｓ1 ）／（ｋ3 ・Ｓ2 ＋ｋ4 ・Ｓ1 ））
であることを特徴とする画像表示装置。
【請求項９】
請求項１に記載の画像表示装置において、第１及び第２の光検出器がそれぞれ有する第１及び第２の表面領域の重心間の距離が２cmよりも短いことを特徴とする画像表示装置。
【請求項１０】
請求項９に記載の画像表示装置において、前記第１及び第２の表面領域の重心が実質的に一致していることを特徴とする画像表示装置。
【請求項１１】
請求項９に記載の画像表示装置において、前記第１及び第２の表面領域が半円形であることを特徴とする画像表示装置。
【請求項１２】
請求項９に記載の画像表示装置において、前記第１の表面領域が円形であり、前記第２の表面領域が、この第１の表面領域を囲んで位置する環状であることを特徴とする画像表示装置。
【請求項１３】
請求項９に記載の画像表示装置において、前記第１及び第２の表面領域が円弧部を有しており、第１の光検出器の各円弧部が第２の光検出器の２つの円弧部間に位置していることを特徴とする画像表示装置。
【発明の詳細な説明】
【技術分野】
【０００１】
本発明は、動作中電子ビームにより走査される少なくとも１本の画像ラインと、この少なくとも１本の画像ラインの一方の側に沿って配置され第１の色を有する第１のインデックス素子と、前記少なくとも１本の画像ラインの他方の側に配置され前記第１の色とは異なる第２の色を有する第２のインデックス素子とを具えている表示スクリーンを有する陰極線管と、
電子ビームにより前記インデックス素子を照射した際に、これらインデックス素子が放出する光を検出する第１及び第２の光検出器と
を具える画像表示装置に関するものである。
【従来技術】
【０００２】
蛍光インデックス素子と、これらに関連する光検出器とを有する画像表示装置は、米国特許第 4,635,106号明細書に記載されており、既知である。
【０００３】
これら既知の表示装置の光検出器は、電子ビームがこれらインデックス素子に当ると、インデックス信号を発生する。
【０００４】
これらインデックス信号は、前記インデックス素子に対する電子ビームの位置と、電子ビームの形状との双方又はいずれか一方を表わす。
【０００５】
これらインデックス信号に基づきエラー信号が発生され、このエラー信号は、電子ビームの軌道及び形状の双方又はいずれか一方がその公称（正常な）軌道及び形状の双方又はいずれか一方からずれた際にこれを補正するために、制御ループにおいて用いられる。
【０００６】
これらの既知の装置は種々の状況で良好に動作するが、電子ビームの位置及び形状の双方又はいずれか一方をより正確に制御することが望まれている。
【発明の開示】
【０００７】
本発明の目的は、インデックス型の表示装置に、改善したエラー信号を与えることにある。
【０００８】
この目的のために、本発明による画像表示装置において、この画像表示装置は、
動作中、第１の光検出器が、実質的に電子ビームによる第１のインデックス素子の照射量を表わす第１のインデックス信号Ｓ1 を発生し、
動作中、第２の光検出器が、実質的に前記第１のインデックス素子の照射量と電子ビームによる第２のインデックス素子の照射量との合計を表わす第２のインデックス信号Ｓ2 を発生するようになっており、
画像表示装置は更に、
前記第２のインデックス信号と前記第１のインデックス信号との差を表わすエラー信号を発生する手段と、
電子ビームの形状と、前記少なくとも１本の画像ラインに対し垂直なフレーム方向における電子ビームの位置との双方又はいずれか一方を、前記エラー信号の関数として補正する手段と
を具えることを特徴とする。
【０００９】
既知のインデックス型画像表示装置の場合、第１の光検出器が、実質的に電子ビームによる第１のインデックス素子の照射量を表わす第１のインデックス信号を発生し、第２の光検出器が、実質的に電子ビームによる第２のインデックス素子の照射量を表わす第２のインデックス信号を発生する。これらの双方の照射量を区別して検出するのは、異なる色のインデックス素子、すなわち、電子ビームで照射した際にそれぞれ特有の異なる周波数スペクトルを有する光を放出するインデックス素子を設け、それぞれ異なるスペクトルに対し選択的に感応する光検出器を設けることにより達成される。電子ビームの軌道及び形状の双方又はいずれか一方を補正するのに用いるエラー信号は、双方のインデックス信号間の差に基づくものである。
【００１０】
本発明によるインデックス型画像表示装置の場合、第２の光検出器は、第１及び第２の色の双方を含む色検出範囲を有する。従って、第２の光検出器は、実質的に電子ビームによる第１及び第２のインデックス素子の双方の照射量を表わすインデックス信号を発生する。
【００１１】
これにより、第２のインデックス信号のレベルを、従って、第２のインデックス信号の信号対雑音比を高める。エラー信号は第１のインデックス信号と第２のインデックス信号との差に基づいている為、エラー信号の信号対雑音比も改善される。その結果、フレーム方向における電子ビームの軌道と電子ビームの形状との双方又はいずれか一方がより正確に補正されるようになり、その結果、画質を改善する。この効果は、電子ビームの強度が低い場合に、すなわち、表示すべき画像の部分が暗い場合に特に有益である。
上述したことは種々の方法で達成しうる。
【００１２】
好適例では、前記第１の光検出器が、前記第１の色及び前記第２の色の双方を含む色検出範囲を有する第１の光感応素子を有し、この第１の光感応素子には、第１の色を選択的に濾波する光フィルタが設けられており、前記第２の光検出器が、前記第１の色及び前記第２の色の双方を含む色検出範囲を持つが第１の色又は第２の色を選択的に濾波する光フィルタが設けられていない第２の光感応素子を有しているようにする。１つのフィルタを排除することにより、第２の光検出器の価格を低減させることも銘記すべきである。
【００１３】
他の好適例では、第１の光検出器が、第１の色を含むが実質的に第２の色を含まない色検出範囲を有する第１の光感応素子を具え、第２の光検出器が、第１及び第２の色の双方を含む色検出範囲を有する第２の光感応素子を具え、第１及び第２の光感応素子の何れにも、第１又は第２の色を選択的に濾波する光フィルタが設けられていないようにする。
【００１４】
光フィルタを用いる場合には、低域通過フィルタを用いるのが有利である。その理由は、低域通過フィルタが選択性に優れ、廉価である為である。従って、好適例では、第１の色の主周波数を第２の色の主周波数よりも低くする。
【００１５】
第１の色は緑色、第２の色は青色、光フィルタは黄色のフィルタとするのが好ましい。
【００１６】
光フィルタを用いる場合には、更に、制御回路を簡単化するために、第１及び第２の光感応素子として同一のものを用いるのが有利である。
【００１７】
従って、好適例では、第１の光検出器の第１の光感応素子を第２の光検出器の第２の光感応素子と実質的に同じとする。
【実施例】
【００１８】
本発明の上述した及びその他の観点は以下の実施例に関する説明から明らかとなるであろう。
図面は実際のものに正比例して描いていない。一般に、各図間で同一の要素には同じ符号を付してある。
図１は、表示窓３と、コーン部６と、ネック部７とを有する陰極線管２を具えるインデックス型の画像表示装置１を示す。ネック部７は、少なくとも１つの電子ビーム５を発生する手段８を収容している。コーン部６上には、電子ビーム５を表示窓３にまたがって偏向させる偏向手段９が装着されている。表示窓３の内面には表示スクリーン４が位置している。この表示スクリーン４は、並置された複数の蛍光画像ライン１０を有し、これらの画像ラインに沿って電子ビーム５が走査されて表示スクリーン４上に画像を形成する。
【００１９】
図２に示すように、画像ライン１０の各側には蛍光インデックス素子が延在している。第１インデックス素子は画像ライン１０の一方の側に沿って延在し、第２インデックス素子１２は画像ライン１０の他方の側に沿って延在している。
【００２０】
電子ビーム５が画像ライン１０上を走査している際に、図２に拡大して良好に示してあるように、この電子ビーム５は第１インデックス素子１１及び第２インデックス素子１２を部分的に照射する。電子ビーム５により第１インデックス素子１１及び第２インデックス素子１２を照射する量は、それぞれＲ１及びＲ２で表わされる。容易に理解しうるように、Ｒ１及びＲ２は、電子ビーム５の形状と、画像ライン１０に対し垂直なフレーム方向６０における電子ビーム５の位置とに依存する。この照射により、第１及び第２インデックス素子が光を発生するようにし、これらの光は、通常、陰極線管２に対向して又は部分的に陰極線管内に入れて配置された２つの光検出器、すなわち、第１光検出器３１及び第２光検出器３２により検出される。これらの光が検出されると、光検出器はインデックス信号Ｓ1 及びＳ2 を発生する。従って、これらの信号は、第１及び第２インデックス素子に対する電子ビーム５の位置と、電子ビーム５の形状との双方又はいずれか一方を表わしている。
【００２１】
これらの光検出器には、これらのインデックス信号Ｓ1 及びＳ2 を測定してエラー信号Ｓe を発生するエラー信号発生手段５０が接続されており、本例では、このエラー信号が制御ループにより用いられる。この制御ループは、電子ビーム５の軌道がその公称軌道から偏移している際に、この電子ビーム５の軌道を補正するために偏向手段９に作用する第１制御手段５２と、電子ビーム５の形状がその公称形状からずれた際にこの電子ビームの形状を補正するために、電子ビーム５を発生する手段８に作用する第２制御手段５１との双方又はいずれか一方を具える。
【００２２】
図３ａ及び３ｂは、インデックス信号Ｓ1 及びＳ2 が既知のインデックス型表示装置に対しいかにＲ１及びＲ２に依存するかを線図的に示す代表的なグラフである。
【００２３】
図３ａは、Ｓ1 がＲ１とともに変化するのに対し、Ｓ2 は（雑音、干渉等による僅かな変化を除いて）Ｒ１とともに変化しないということを示している。このことは、第１光検出器３１が第１インデックス素子により放出される光に十分に感応しており、第２光検出器３２が第１インデックス素子により放出される光に十分に感応していないことによるものである。
【００２４】
図３ｂは、Ｓ2 がＲ２とともに変化するのに対し、Ｓ1 は（雑音、干渉等による僅かな変化を除いて）Ｒ２とともに変化しないということを示している。このことは、第２光検出器３２が第２インデックス素子により放出される光に十分に感応しており、第１光検出器３１が第２インデックス素子により放出される光に十分に感応していないことによるものである。
【００２５】
従って、第１インデックス信号Ｓ1 は実質的にＲ１に比例するのに対し、第２インデックス信号Ｓ2 は実質的にＲ２に比例する。
【００２６】
本発明は、図４ａ及び４ｂから理解されるように改善した表示装置を提供する。
【００２７】
図４ａ及び４ｂは、本発明による表示装置に対し、インデックス信号Ｓ1 及びＳ2 がＲ１及びＲ２にいかに依存するかを示す代表的なグラフである。
【００２８】
図４ａは、Ｓ1 及びＳ2 の双方がＲ１とともに変化していることを示している。このことは、第１光検出器３１及び第２光検出器３２の双方が、第１インデックス素子により放出される光に十分に感応していることによるものである。
【００２９】
図４ｂは、Ｓ2 がＲ２とともに変化するのに対し、Ｓ1 は（雑音、干渉等による僅かな変化を除いて）Ｒ２とともに変化しないということを示している。このことは、第２光検出器３２が第２インデックス素子により放出される光に十分に感応しており、第１光検出器３１が第２インデックス素子により放出される光に十分に感応していないことによるものである。
【００３０】
従って、第１インデックス信号Ｓ1 は実質的にＲ１に比例するのに対し、第２インデックス信号Ｓ2 は実質的にＲ１及びＲ２の合計に比例する。
【００３１】
このことにより、第２インデックス信号のレベル、従って、第２インデックス信号の信号対雑音比が高められる。エラー信号Ｓe は第１インデックス信号と第２インデックス信号との差に基づく為、エラー信号の信号対雑音比も改善される。その結果、フレーム方向６０における電子ビーム５の位置と、電子ビーム５の形状との双方又はいずれか一方をより正確に補正でき、従って、画質が改善される。このような効果は、特に、電子ビームの強度が低い場合、すなわち、表示すべき画像の部分が暗い場合に有益である。
【００３２】
本発明による表示装置の好適例では、第１光検出器３１及び第２光検出器３２を図５に示すように構成し、図６のグラフに示すようなスペクトル特性が得られるようにする。
【００３３】
図６は、電子ビーム５を照射した際のインデックス素子のスペクトル放出特性をも示している。第１インデックス素子１１の第１スペクトル放出特性２１は第１の色に対応しており、これは第２の色に対応する第２インデックス素子１２の第２スペクトル放出特性２２と明確に識別しうる。
【００３４】
このような好適例では、第１光検出器３１が第１光感応素子４１を具えており、この第１光感応素子はその第１スペクトル感応特性４１ａから分るように第１及び第２の色の双方を含む色検出範囲を有する。第２光検出器３２は第２光感応素子４２を具えており、この第２光感応素子もその第２スペクトル感応特性４２ａから分るように第１及び第２の色の双方を含む色検出範囲を有する。このような光感応素子は、例えば、ホトダイオード又はホトトランジスタのような光感応半導体を有することができる。光感応素子は、光検出効率を改善するために陰極線管２のコーン部６上に分布させるか又は一緒に集めた１つ以上のホトダイオード及びホトトランジスタの双方又はいずれか一方を有することができることを銘記すべきである。
【００３５】
第１光感応素子４１には光フィルタ１００が設けられており、この光フィルタはそのスペクトル透過特性１００ａから分るように第１の色を選択的に濾波するものである。第２光感応素子４２には、第１又は第２の色を選択的に濾波する光フィルタ１００が設けられていない。
【００３６】
従って、電子ビーム５をインデックス素子に当てると、第１インデックス信号Ｓ1 が実質的に第１の色の光の量、従って、Ｒ１を表わし、第２インデックス信号Ｓ2 が実質的に第１の色と第２の色との双方の光の量、従って、Ｒ１＋Ｒ２を表わす。
【００３７】
図６のグラフの横軸は、周波数（ｆ）又は波長（λ）で表わすことができ、光フィルタ１００は低域通過フィルタ、又は広域通過フィルタ、又は帯域通過フィルタとすることができることに注意すべきである。
【００３８】
第１の色の第１主周波数ｆ１は第２の色の第２主周波数ｆ２よりも低くするのが好ましい。この場合、図６のグラフの横軸は周波数（ｆ）で表わす必要がある。この場合、第１の色を濾波する光フィルタ１００は低域通過フィルタである。このようにするのは、低域通過フィルタは選択性に優れ廉価である為に有利なことである。
【００３９】
より一層好ましい場合では、第１の色を主として緑色とし、第２の色を主として青色とし、光フィルタ１００を主として黄色のフィルタとする。その理由は、これらの色が周波数領域で良好に分離されるとともに、黄色のフィルタは極めて廉価で極めて選択性に優れている為である。
【００４０】
制御回路を簡単化するために、第１光感応素子４１及び第２光感応素子４２として同じものを用いるのも有利である。例えば、２つの同じホトダイオードがほぼ同じ特性を有するものであり、これらを同一の基板上に容易に集積化することもできる。
【００４１】
従って、好適例では、第１光検出器３１の第１光感応素子４１を第２光検出器３２の第２光感応素子４２と実質的に同じとする。
【００４２】
本発明による表示装置の他の好適例では、第１光検出器３１及び第２光検出器３２を図７に示すように構成し、図８に示すようなスペクトル特性を有するようにする。
【００４３】
図８は、電子ビーム５で照射した際のインデックス素子のスペクトル放出特性をも示している。第１インデックス素子１１の第１スペクトル放出特性２１は第１の色に対応しており、これは第２の色に対応する第２インデックス素子１２の第２スペクトル放出特性２２と明瞭に識別しうる。
【００４４】
このような他の好適例では、第１光検出器３１が第１光感応素子４１を有し、この第１光感応素子はその第１スペクトル感応特性４１ａから分るように、第１の色を含むが第２の色を含まない色検出範囲を有する。第２光検出器３２は第２光感応素子４２を有し、この第２光感応素子はその第２スペクトル感応特性４２ａから分るように第１及び第２の双方の色を含む色検出範囲を有している。図８の横軸は周波数（ｆ）で表わすか、又は波長（λ）で表わすことができることに注意すべきである。第１光感応素子４１にも第２光感応素子４２にも、第１又は第２の色を選択的に濾波する光フィルタ１００が設けられていない。
【００４５】
従って、電子ビーム５をインデックス素子に当てると、第１インデックス信号Ｓ1 が実質的に第１の色の光の量、従って、Ｒ１を表わし、第２インデックス信号Ｓ2 が実質的に第１の色と第２の色との双方の光の量、従って、Ｒ１＋Ｒ２を表わす。
【００４６】
従って、光フィルタ１００を用いるか用いないかにかかわらず、たとえＲ１及びＲ２の量が互いに等しくても、すなわち、電子ビーム５がフレーム方向で画像ライン１０に対して正しく位置していても、インデックス信号Ｓ1 及びＳ2 のレベルが互いにかなり相違してしまう。このような相違や、光路及び電気回路における不平衡を補償するためには、電子ビーム５が正しく位置する際に、エラー信号Ｓe を零に等しくするように、エラー信号発生手段が第２インデックス信号と第１インデックス信号との重み付された差を生じるように動作するようにする。すなわち、
Ｓe ＝ｆ（ｋ2 ・Ｓ2 −ｋ1 ・Ｓ1 ）
とする。ここで、ｋ1 及びｋ2 は、インデックス素子の光発生効率に差があったり、光検出器の光検出効率に差があったりした場合に調整して、Ｒ１＝Ｒ２の際にＳe ＝０とするようにする必要がある定数である。
【００４７】
電子ビーム強度や、第１インデックス素子１１及び第２インデックス素子１２に対する電子ビーム位置が所定のものである場合の、第１光検出器３１及び第２光検出器３２のインデックス信号は、フレーム方向６０や画像ラインの方向における電子ビーム５の角度位置（通常、偏向角と称する）に著しく依存する為、エラー信号は、電子ビーム５による第１インデックス素子１１及び第２インデックス素子１２の合計の照射を表わす量に対するものとするのが有利である。前述したように、第２インデックス信号Ｓ2 はこのような量を表わしている。
【００４８】
従って、本発明の好適例では、エラー信号Ｓe を次式のように構成する。
Ｓe ＝ｆ（（ｋ2 ・Ｓ2 −ｋ1 ・Ｓ1 ）／（ｋ3 ・Ｓ2 ＋ｋ4 ・Ｓ1 ））
ここで、ｋ1 、ｋ2 、ｋ3 及びｋ4 は、インデックス素子の光発生効率に差があったり、光検出器の光検出効率に差があったり、（フィルタを用いる場合に）光フィルタ特性が不完全であったりした場合に調整して、Ｒ１＝Ｒ２の際にＳe ＝０とするようにする必要がある定数である。
【００４９】
このようなエラー信号を発生する代表的な手段を図９に示す。
【００５０】
通常のインデックス型の陰極線管では、２つの検出器を決して正確に同じ位置に配置することができず、従って、これらの検出効率の分布は決して正確に一致することがない。このような構成の結果として、検出器に対し利得の差が生じる。
【００５１】
この問題に対する解決策は、２つの検出器をできるだけ互いに接近させて配置することである。このようにすると、これら検出器の効率の分布が殆ど同じとなり、双方の検出器に対する正規化は同じで充分である。この場合、正規化は、２つの検出器からの信号の差をこれらの信号の合計で割ることにより行なうことができる。
【００５２】
このような光検出器の一例は図１０に示す通りであり、第１光検出器３１及び第２光検出器３２が表面領域３３及び３４をそれぞれ有する。これら表面領域３３及び３４は重心３５及び３６をそれぞれ有し、これら重心間の距離は２cmよりも短い。この場合、これらの表面領域は半円形である。この構成によれば、形成するのが簡単で、電気接続部を検出器に容易に設けることができるという利点が得られる。
【００５３】
１７インチ管での測定から明らかとなったように、検出器を互いに２cm離した距離に配置した場合、悪影響が生じる。従って、検出器間の距離は少なくとも、２cmよりも短かくする必要がある。
【００５４】
本発明の他の例は一体化した検出器を有する。すなわち、検出器の重心３５及び３６をほぼ一致させる。表面積が等しいこれら２つの検出器を一体化して１つの一体化検出器にすることにより、もとの２つの検出器はインデックス型の陰極線管内で同じ位置に有効に配置され、同様な応答特性を有するようになる。２つの検出器が成す立体角は等しい為、これら検出器の検出効率は等しい。
【００５５】
検出器を一体化する最良の方法は、双方の検出器が１つのチップ上で組合されるように、シリコン上に一体化装置を形成することである。シリコン技術を用いることにより、検出器の頂部にフィルタを組込んだり、検出器から到来する電流を増幅したりすることもできる。
【００５６】
図１１は、第１検出器３１が円形の第１表面領域３３を有し、第２検出器３２が環状の第２表面領域３４を有し、この第２表面領域が第１検出器を囲むようにした本発明の例を示す。これらの重心３５及び３６は一致している。
【００５７】
図１２は、第１検出器３１及び第２検出器３２が第１表面領域３３及び第２表面領域３４をそれぞれ有し、これら表面領域が円弧部（本例では、４つの円弧部）を有し、第１検出器の各円弧部が第２検出器の２つの円弧部間に位置している本発明の例を示す。
【００５８】
より一層複雑な検出器構造を形成するのもかなり容易となる。上述した全ての構造は、２つの検出器の重心ができるだけ接近するように、理想的には一致するように構成する必要がある。
【００５９】
本発明を要約すれば、以下の通りである。画像表示装置１は陰極線管２を有し、この陰極線管の表示スクリーン４には、電子ビーム５が走査される平行な画像ライン１０と、各画像ライン１０の両側に沿って延在する第１及び第２蛍光インデックス素子とが設けられている。この画像表示装置は、電子ビーム５による前記インデックス素子の照射量を表わすインデックス信号を発生する一対の光検出器をも有する。スクリーン上の電子ビーム５の形状及び位置の双方又はいずれか一方を補正するエラー信号は前記インデックス信号に基づいて構成する。一方の光検出器のインデックス信号が第１インデックス素子１１及び第２インデックス素子１２の双方の照射量を表わし、これによりこの光検出器の検出効率及びそのインデックス信号の信号対雑音比を改善する。その結果、エラー信号が良好になるとともに、画質が良好になる。
【００６０】
本発明は上述した実施例に限定されるものではなく、当業者は本発明の範囲内で多くの他の実施例を設計しうるものであることを銘記すべきである。
【図面の簡単な説明】
【００６１】
【図１】既知のインデックス型表示装置を示す線図である。
【図２】図１のインデックス型表示装置の表示スクリーンを示す線図である。
【図３ａ】電子ビームによる第１インデックス素子の照射量にインデックス信号がいかに依存するかを、既知の表示装置に対して示す代表的なグラフである。
【図３ｂ】電子ビームによる第２インデックス素子の照射量にインデックス信号がいかに依存するかを、既知の表示装置に対して示す代表的なグラフである。
【図４ａ】電子ビームによる第１インデックス素子の照射量にインデックス信号がいかに依存するかを、本発明による表示装置に対して示す代表的なグラフである。
【図４ｂ】電子ビームによる第２インデックス素子の照射量にインデックス信号がいかに依存するかを、本発明による表示装置に対して示す代表的なグラフである。
【図５】本発明の好適例による表示装置の光検出器を示す線図である。
【図６】図５の光検出器の代表的なスペクトル特性を示すグラフである。
【図７】本発明の他の好適例による表示装置の光検出器を示す線図である。
【図８】図７の光検出器の代表的なスペクトル特性を示すグラフである。
【図９】エラー信号を発生する代表的な手段を示す線図である。
【図１０】本発明による一例を示す線図である。
【図１１】本発明による他の例を示す線図である。
【図１２】本発明による好適例を示す線図である。
【符号の説明】
【００６２】
１        画像表示装置
２        陰極線管
３        表示窓
４        表示スクリーン
５        電子ビーム
６        コーン部
７        ネック部
８        電子ビームを発生する手段
９        偏向手段
１０      画像ライン
１１      第１インデックス素子
１２      第２インデックス素子
２１      第１スペクトル放出特性
２２      第２スペクトル放出特性
３１      第１光検出器
３２      第２光検出器
３３      第１光検出器の第１表面領域
３４      第２光検出器の第２表面領域
３５      第１表面領域の重心
３６      第２表面領域の重心
４１      第１光感応素子
４１ａ    第１スペクトル感応特性
４２      第２光感応素子
４２ａ    第２スペクトル感応特性
５０      エラー信号発生手段
５１      第２制御手段（電子ビームの形状を補正する）
５２      第１制御手段（電子ビームの位置を補正する）
６０      フレーム方向
１００    光フィルタ
１００ａ  スペクトル透過特性
【国際公開パンフレット】
2005507514.tif 000003
2005507514.tif 000004
2005507514.tif 000005
2005507514.tif 000006
2005507514.tif 000007
2005507514.tif 000008
2005507514.tif 000009
2005507514.tif 000010
2005507514.tif 000011
2005507514.tif 000012
2005507514.tif 000013
2005507514.tif 000014
2005507514.tif 000015
2005507514.tif 000016
2005507514.tif 000017
2005507514.tif 000018
2005507514.tif 000019
2005507514.tif 000020
2005507514.tif 000021
2005507514.tif 000022
2005507514.tif 000023
2005507514.tif 000024
2005507514.tif 000025
2005507514.tif 000026
【国際調査報告】
2005507514.tif 000027
2005507514.tif 000028